(57)【要約】【課題】無線ＬＡＮにおける外部ネットワークとのインターワーキング手順、前記インターワーキング手順を支援するステーション及び前記インターワーキング手順のためのメッセージフォーマットを提供する。【解決手段】インターワーキング手順において、ｎｏｎ−ＡＰステーションは、通知プロトコル（ａｄｖｅｒｔｉｓｅｍｅｎｔ  ｐｒｏｔｏｃｏｌ）ＩＤ及びネイティブ質疑情報ＩＤを含む要請メッセージを伝送し、前記通知プロトコルＩＤは、ネイティブ質疑プロトコル（ｎａｔｉｖｅ  ｑｕｅｒｙ  ｐｒｏｔｏｃｏｌ）を示す値に設定され、前記ネイティブ質疑情報ＩＤは、緊急呼び出し番号（ｅｍｅｒｇｅｎｃｙ  ｃａｌｌ  ｎｕｍｂｅｒ）情報を示す値に設定される。前記ｎｏｎ−ＡＰステーションは、前記要請メッセージに対する応答として、ＡＰ（ａｃｃｅｓｓ  ｐｏｉｎｔ）から零またはそれ以上の緊急呼び出し番号を含む応答メッセージを受信する。【選択図】図７
2010532619.tif 000002
【特許請求の範囲】
【請求項１】
無線ＬＡＮ（ｗｉｒｅｌｅｓｓ  ｌｏｃａｌ  ａｃｃｅｓｓ  ｎｅｔｗｏｒｋ）におけるｎｏｎ−ＡＰステーションのインターワーキング手順において、
通知プロトコル（ａｄｖｅｒｔｉｓｅｍｅｎｔ  ｐｒｏｔｏｃｏｌ）ＩＤ及びネイティブ質疑情報ＩＤを含む要請メッセージを伝送し、前記通知プロトコルＩＤは、ネイティブ質疑プロトコル（ｎａｔｉｖｅ  ｑｕｅｒｙ  ｐｒｏｔｏｃｏｌ）を示す値に設定され、前記ネイティブ質疑情報ＩＤは、緊急呼び出し番号（ｅｍｅｒｇｅｎｃｙ  ｃａｌｌ  ｎｕｍｂｅｒ）情報を示す値に設定され、及び
ＡＰ（ａｃｃｅｓｓ  ｐｏｉｎｔ）から零またはそれ以上の緊急呼び出し番号を含む応答メッセージを受信することを含むインターワーキング手順。
【請求項２】
前記要請メッセージは、ＧＡＳ（ｇｅｎｅｒｉｃ  ａｄｖｅｒｔｉｓｅｍｅｎｔ  ｓｅｒｖｉｃｅ）初期要請フレームであり、前記応答メッセージは、ＧＡＳ初期応答フレームである請求項１に記載のインターワーキング手順。
【請求項３】
前記ＧＡＳ初期要請フレームは、ダイアログトークン（ｄｉａｌｏｇ  ｔｏｋｅｎ）、前記通知プロトコルＩＤを含む通知プロトコル情報要素、及び前記ネイティブ質疑情報ＩＤを含む質疑要請要素を含む請求項２に記載のインターワーキング手順。
【請求項４】
前記ＧＡＳ初期応答フレームは、前記ＧＡＳ初期要請フレーム内の前記ダイアログトークンに一致する値を有するダイアログトークン、ネイティブ質疑プロトコルを示す値に設定された通知プロトコルＩＤ、及び一つまたはその以上の緊急呼び出し番号を含む質疑応答要素を含む請求項３に記載のインターワーキング手順。
【請求項５】
前記質疑応答要素は、緊急呼び出し番号情報を示す値に設定された情報ＩＤフィールド、‘成功’を指示する値に設定された状態コードフィールド、前記一つまたはその以上の緊急呼び出し番号を含む一つまたはその以上の緊急呼び出し番号ユニットを含むネイティブ質疑プロトコル情報要素を含む請求項４に記載のインターワーキング手順。
【請求項６】
前記ＧＡＳ初期要請フレームは、アクションフィールドがＧＡＳ初期要請を示す値に設定されたパブリックアクションフレーム（ｐｕｂｌｉｃ  ａｃｔｉｏｎ  ｆｒａｍｅ）であり、前記ＧＡＳ初期応答フレームは、アクションフィールドがＧＡＳ初期応答を示す値に設定されたパブリックアクションフレームである請求項２に記載のインターワーキング手順。
【請求項７】
前記緊急呼び出し番号は、前記ＡＰで地域的に設定されたデータである請求項１に記載のインターワーキング手順。
【請求項８】
無線ＬＡＮにおけるアクセスポイント（Ａｃｃｅｓｓ  Ｐｏｉｎｔ、ＡＰ）のインターワーキング手順において、
通知プロトコル（ａｄｖｅｒｔｉｓｅｍｅｎｔ  ｐｒｏｔｏｃｏｌ）ＩＤ及びネイティブ質疑情報ＩＤを含む要請メッセージをｎｏｎ−ＡＰステーションから受信し、前記通知プロトコルＩＤは、ネイティブ質疑プロトコル（ｎａｔｉｖｅ  ｑｕｅｒｙ  ｐｒｏｔｏｃｏｌ）を示す値に設定され、前記ネイティブ質疑情報ＩＤは、緊急呼び出し番号（ｅｍｅｒｇｅｎｃｙ  ｃａｌｌ  ｎｕｍｂｅｒ）情報を示す値に設定され、及び
零またはそれ以上の緊急呼び出し番号を含む応答メッセージを前記ｎｏｎ−ＡＰステーションに伝送することを含むインターワーキング手順。
【請求項９】
前記要請メッセージは、ＧＡＳ（ｇｅｎｅｒｉｃ  ａｄｖｅｒｔｉｓｅｍｅｎｔ  ｓｅｒｖｉｃｅ）初期要請フレームであり、前記応答メッセージは、ＧＡＳ初期応答フレームであり、
前記ＧＡＳ初期要請フレームは、ダイアログトークン（ｄｉａｌｏｇ  ｔｏｋｅｎ）、前記通知プロトコルＩＤを含む通知プロトコル情報要素、及び前記ネイティブ質疑情報ＩＤを含む質疑要請要素を含み、
前記ＧＡＳ初期応答フレームは、前記ＧＡＳ初期要請フレーム内の前記ダイアログトークンに一致する値を有するダイアログトークン、ネイティブ質疑プロトコルを示す値に設定された通知プロトコルＩＤ、及び一つまたはその以上の緊急呼び出し番号を含む質疑応答要素を含む請求項８に記載のインターワーキング手順。
【請求項１０】
前記質疑応答要素は、緊急呼び出し番号情報を示す値に設定された情報ＩＤフィールド、‘成功’を指示する値に設定された状態コードフィールド、前記一つまたはその以上の緊急呼び出し番号を含む一つまたはその以上の緊急呼び出し番号ユニットを含むネイティブ質疑プロトコル情報要素を含み、及び
前記ＧＡＳ初期要請フレーム内の前記質疑要請が前記アクセスポイントに設定された情報に対応する場合、前記ＧＡＳ初期応答フレームが伝送される請求項９に記載のインターワーキング手順。
【請求項１１】
前記ＧＡＳ初期要請フレーム内の前記質疑要請が前記アクセスポイントに設定されない情報に対応する場合、前記ＧＡＳ初期応答フレームは、前記ＧＡＳ初期応答フレームに含まれた前記ダイアログトークンと同じ値を有するダイアログトークン、“要請情報が設定されない”に設定された状態コード、及びネイティブ質疑プロトコルを示す値に設定された通知プロトコルＩＤ、及び‘０’の値に設定された質疑応答要素を含む請求項９に記載のインターワーキング手順。
【請求項１２】
前記応答メッセージは、ＤＳ（Ｄｉｓｔｒｉｂｕｔｉｏｎ  Ｓｙｓｔｅｍ）内のサーバにまたは外部ネットワークに前記要請メッセージをプロキシ（ｐｒｏｘｙ）せずに伝送される請求項８に記載のインターワーキング手順。
【請求項１３】
無線ＬＡＮにおけるインターワーキング手順に使われるＧＡＳ（ｇｅｎｅｒｉｃ  ａｄｖｅｒｔｉｓｅｍｅｎｔ  ｓｅｒｖｉｃｅ）初期要請メッセージを構成する方法において、
前記ＧＡＳ初期要請メッセージは、
パブリックアクションフレームを示す値に設定されたカテゴリフィールド；
ＧＡＳ初期応答アクションを示す値に設定されたアクションフィールド；
前記ＧＡＳ初期要請フレームと前記ＧＡＳ初期要請フレームに対する応答であるＧＡＳ初期応答フレームとの交換を識別するように要請ステーションによって設定されるダイアログトークンフィールド；
ネイティブ質疑プロトコルを示す値に設定された通知プロトコルＩＤを含む通知プロトコル情報要素；及び
緊急呼び出し番号情報を示す値に設定されたネイティブ質疑情報ＩＤを含む質疑要請フィールドを含む方法。
【請求項１４】
無線ＬＡＮにおけるインターワーキング手順に使われるＧＡＳ（ｇｅｎｅｒｉｃ  ａｄｖｅｒｔｉｓｅｍｅｎｔ  ｓｅｒｖｉｃｅ）初期応答メッセージを構成する方法において、
前記ＧＡＳ初期応答メッセージは、
パブリックアクションフレームを示す値に設定されたカテゴリフィールド；
ＧＡＳ初期要請アクションを示す値に設定されたアクションフィールド；
対応する前記ＧＡＳ初期要請フレームと同じ値に設定されたダイアログトークンフィールド；
ネイティブ質疑プロトコルを示す値に設定された通知プロトコルＩＤを含む通知プロトコル情報要素；及び
緊急呼び出し番号要素を含む質疑応答フィールドを含む方法。
【請求項１５】
前記緊急呼び出し番号要素は、
緊急呼び出し番号情報を示す値に設定された情報ＩＤフィールド；
‘成功’を示す値に設定された状態コードフィールド；及び
各々が緊急呼び出し番号の長さサブフィールド及び緊急呼び出し番号サブフィールドを含む一つまたはその以上の呼び出し番号ユニットを含み、前記緊急呼び出し番号の長さサブフィールドは、前記緊急呼び出し番号サブフィールドの長さを表し、前記緊急呼び出し番号サブフィールドは、ネットワークで支援される緊急呼び出しディジット（ｔｈｅ  ｅｍｅｒｇｅｎｃｙ  ｃａｌｌ  ｄｉｇｉｔｓ）を含む請求項１４に記載の方法。
【請求項１６】
無線ＬＡＮにおけるインターワーキング手順を支援するｎｏｎ−ＡＰ（ａｃｃｅｓｓ  ｐｏｉｎｔ）ステーションにおいて、
フレームを生成して処理するプロセッサ；及び
前記プロセッサと連結されて、前記プロセッサによる前記フレームを伝送して受信する送受信機を含み、
前記プロセッサは、ネイティブ質疑プロトコル（ｎａｔｉｖｅ  ｑｕｅｒｙ  ｐｒｏｔｏｃｏｌ）を示す値に設定された前記通知プロトコルＩＤ及び緊急呼び出し番号（ｅｍｅｒｇｅｎｃｙ  ｃａｌｌ  ｎｕｍｂｅｒ）情報を示す値に設定された前記ネイティブ質疑情報ＩＤを含むＧＡＳ（ｇｅｎｅｒｉｃ  ａｄｖｅｒｔｉｓｅｍｅｎｔ  ｓｅｒｖｉｃｅ）初期要請フレームを生成して、前記ＧＡＳ初期要請フレームを前記送受信機にフォーワーディング（ｆｏｒｗａｒｄ）し、
前記送受信機は、前記ＧＡＳ初期要請フレームを伝送して、また、ＡＰから前記ＧＡＳ初期要請フレームに対する応答として、一つまたはその以上の緊急呼び出し番号を含むＧＡＳ初期応答フレームを受信して、前記受信されたＧＡＳ初期応答フレームを前記プロセッサにフォーワーディングして、及び
さらに、前記プロセッサは、前記ＧＡＳ初期応答フレームを処理するｎｏｎ−ＡＰステーション。
【請求項１７】
無線ＬＡＮにおけるインターワーキング手順を支援するアクセスポイント（ａｃｃｅｓｓ  ｐｏｉｎｔ、ＡＰ）において、
フレームを生成して処理するプロセッサ；及び
前記プロセッサと連結されて、前記プロセッサによる前記フレームを伝送して受信する送受信機を含み、
前記送受信機は、ｎｏｎ−ＡＰステーションから、ネイティブ質疑プロトコル（ｎａｔｉｖｅ  ｑｕｅｒｙ  ｐｒｏｔｏｃｏｌ）を示す値に設定された前記通知プロトコルＩＤ及び緊急呼び出し番号（ｅｍｅｒｇｅｎｃｙ  ｃａｌｌ  ｎｕｍｂｅｒ）情報を示す値に設定された前記ネイティブ質疑情報ＩＤを含むＧＡＳ（ｇｅｎｅｒｉｃ  ａｄｖｅｒｔｉｓｅｍｅｎｔ  ｓｅｒｖｉｃｅ）初期要請フレームを受信して、前記ＧＡＳ初期要請フレームを前記プロセッサにフォーワーディング（ｆｏｒｗａｒｄ）し、
前記プロセッサは、前記ＧＡＳ初期要請フレームを処理して、また、前記ＧＡＳ初期要請フレームに対する応答として、一つまたはその以上の緊急呼び出し番号を含むＧＡＳ初期応答フレームを生成して、前記ＧＡＳ初期応答フレームを前記プロセッサにフォーワーディングして、及び
さらに、前記送受信機は、前記ＧＡＳ初期応答フレームを前記ｎｏｎ−ＡＰステーションに伝送するアクセスポイント。
【発明の詳細な説明】
【技術分野】
【０００１】
本発明は、無線ＬＡＮ（Ｗｉｒｅｌｅｓｓ  Ｌｏｃａｌ  Ａｃｃｅｓｓ  Ｎｅｔｗｏｒｋ、ＷＬＡＮ）に関し、より詳しくは、無線ＬＡＮにおける外部ネットワークとのインターワーキング（Ｉｎｔｅｒｗｏｒｋｉｎｇ）手順及びこれを支援するステーション、並びに、このためのメッセージフォーマットに関する。
【背景技術】
【０００２】
情報通信技術の発展とともに多様な無線通信技術が開発されている。このうち、無線ＬＡＮ（Ｗｉｒｅｌｅｓｓ  Ｌｏｃａｌ  Ａｃｃｅｓｓ  Ｎｅｔｗｏｒｋ、ＷＬＡＮ）は、ラジオ周波数技術に基づいて個人携帯用情報端末機（Ｐｅｒｓｏｎａｌ  Ｄｉｇｉｔａｌ  Ａｓｓｉｓｔａｎｔ、ＰＤＡ）、ラップトップコンピュータ（Ｌａｐｔｏｐ  Ｃｏｍｐｕｔｅｒ）、携帯型マルチメディアプレーヤ（Ｐｏｒｔａｂｌｅ  Ｍｕｌｔｉｍｅｄｉａ  Ｐｌａｙｅｒ、ＰＭＰ）などのような携帯型端末機を用いて家庭や企業または航空機などのような特定サービス提供地域で無線にインターネット及び／またはイントラネットワーク（ｉｎｔｒａ  ｎｅｔｗｏｒｋ）に接続することができるようにする技術である。
【０００３】
無線ＬＡＮの増加された活用に応じて、現在はラップトップコンピュータ使用者のような携帯端末使用者は、増加された移動性によって作業をすることができる。例えば、使用者は、データを受信するために自分のローカルネットワークに接続したまま、ラップトップコンピュータを自分の机から会議に参加するために会議室に持っていくことができ、有線接続に拘らずローカルネットワーク上のモデムやゲートウェーを介してインターネットに接続することができる。同様に、業務出張者もイメールを受信または送信したり、イメールを確認するために彼らのイメールアカウントに接続するように携帯端末を使用することができる。
【０００４】
初期の無線ＬＡＮ技術は、ＩＥＥＥ８０２．１１を介して２．４ＧＨｚ周波数を使用して周波数ホッピング、帯域拡散、赤外線通信などによって１〜２Ｍｂｐｓの速度を支援した。最近には無線通信技術の発展に応じて直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘ、ＯＦＤＭ）技術などを無線ＬＡＮに適用して最大５４Ｍｂｐｓの速度を支援することができる。この他にもＩＥＥＥ８０２．１１ではサービス品質（Ｑｕａｌｉｔｙ  ｏｆ  Ｓｅｒｖｉｃｅ、ＱｏＳ）の向上、アクセスポイント（Ａｃｃｅｓｓ  Ｐｏｉｎｔ、ＡＰ）プロトコル互換、保安強化（Ｓｅｃｕｒｉｔｙ  Ｅｎｈａｎｃｅｍｅｎｔ）、ラジオ測定またはラジオ資源測定（Ｒａｄｉｏ  Ｒｅｓｏｕｒｃｅ  Ｍｅａｓｕｒｅｍｅｎｔ）、車両環境のための無線接続（Ｗｉｒｅｌｅｓｓ  Ａｃｃｅｓｓ  ｉｎ  Ｖｅｈｉｃｕｌａｒ  Ｅｎｖｉｒｏｎｍｅｎｔ）、迅速なローミング（Ｆａｓｔ  Ｒｏａｍｉｎｇ）、メッシュネットワーク（Ｍｅｓｈ  Ｎｅｔｗｏｒｋ）、外部ネットワークとの相互作用（Ｉｎｔｅｒ−ｗｏｒｋｉｎｇ  ｗｉｔｈ  Ｅｘｔｅｒｎａｌ  Ｎｅｔｗｏｒｋ）、無線ネットワーク管理（Ｗｉｒｅｌｅｓｓ  Ｎｅｔｗｏｒｋ  Ｍａｎａｇｅｍｅｎｔ）などのための無線通信技術を開発して実用化し、現在も開発中である。
【０００５】
一方、無線ＬＡＮ規格のうち一つであるＩＥＥＥ８０２．１１ｕ規格には無線ＬＡＮにおけるインターワーキングサービス（Ｉｎｔｅｒｗｏｒｋｉｎｇ  Ｓｅｒｖｉｃｅ）が記述されている。インターワーキングサービスの主な目的は、無線ＬＡＮの使用者のために外部ネットワーク（Ｅｘｔｅｒｎａｌ  Ｎｅｔｗｏｒｋ）からの情報伝達を可能にし、接続ネットワーク選択を助け、また、緊急サービスが可能できるようにすることである。ＩＥＥＥ８０２．１１ｕ規格は、このような目的達成に必要な媒体接続制御（Ｍｅｄｉｕｍ  Ａｃｃｅｓｓ  Ｃｏｎｔｒｏｌ、ＭＡＣ）及び物理階層（Ｐｈｙｓｉｃａｌ  Ｌａｙｅｒ、ＰＨＹ）プロトコルに関して規定している。
【発明の概要】
【発明が解決しようとする課題】
【０００６】
前述したように、インターワーキングサービスの目的のうち一つは、無線ＬＡＮを用いて緊急サービスが可能できるようにすることである。緊急サービスは、多様な方法によって行われることができ、そのうち一つは、使用者に緊急状況が発生した場合に消防署や応急室などのような緊急サービスセンタ（Ｅｍｅｒｇｅｎｃｙ  Ｓｅｒｖｉｃｅ  Ｃｅｎｔｅｒ）に緊急呼び出し（Ｅｍｅｒｇｅｎｃｙ  Ｃａｌｌ）ができるようにすることである。
【０００７】
端末が緊急サービスセンタと緊急呼び出しをするためには前記緊急サービスセンタを識別するための情報、例えば、緊急呼び出し番号を使用者が知っていなければならない。または、使用者が緊急呼び出し番号を知っていない場合であるとしても、使用者が端末の使用者インターフェースを介して緊急呼び出しを要請する場合、このような緊急呼び出し番号が端末に格納されていなければ緊急サービスセンタに緊急呼び出しをすることができない。
【０００８】
ところが、緊急呼び出し番号は、国家ごとにまたは同じ国家であるとしても地域ごとに異に設定されている場合がある。例えば、韓国の場合、火災時や応急状況の発生時に使われる緊急呼び出し番号は‘１１９’であるが、米国の場合には‘９１１’を使用し、イタリアの場合、火災は‘４４４４４’であり、救急車は‘１１８’を使用し、英国の場合、‘９９９’を使用する。また、同じ国家内であるとしても、火災、遭難、応急医療状況などのための緊急サービスセンタの呼び出し（ｃａｌｌ）番号は地域ごとに異なる場合がある。
【０００９】
このように、国家別及び／または地域別に緊急呼び出し番号が異なる場合がある。その結果、無線ＬＡＮ端末を用いて緊急サービスセンタと緊急呼び出しをするためには、使用者及び／または端末が結合（Ａｓｓｏｃｉａｔｉｏｎ）しようとする、或いは現在結合されている基地局を介して連結されることができる外部ネットワークの緊急呼び出し番号は知っていなければならない。然しながら、国家及び／または地域ごとに異なる緊急呼び出し番号を端末に全部格納しておくか、或いは使用者がこれを全部記憶するのは現実的に不可能であるため、各基地局では端末にこのような緊急呼び出し番号を知らせる必要がある。特に、訪問ネットワーク（Ｖｉｓｉｔｅｄ  Ｎｅｔｗｏｒｋ）に接続しているローミング状態の端末に、緊急呼び出し番号を知らせる必要は一層高まる。
【００１０】
従って、本発明が解決しようとする一つの課題は、無線ＬＡＮにおける外部ネットワークの緊急呼び出し番号を端末に知らせることができる外部ネットワークとのインターワーキング（Ｉｎｔｅｒｗｏｒｋｉｎｇ）のための手順及びこれを支援するステーション、並びに、このための新しい類型のメッセージフォーマットを提供することである。
【００１１】
また、本発明が解決しようとする他の課題は、基地局で分配システム（Ｄｉｓｔｒｉｂｕｔｉｏｎ  Ｓｙｓｔｅｍ）または外部ネットワークのサーバに質疑または要請をすることなく、端末に緊急呼び出し番号を提供することができる外部ネットワークとのインターワーキングのための手順及びこれを支援するステーション、並びに、このための新しい類型のメッセージフォーマットを提供することである。
【課題を解決するための手段】
【００１２】
本発明の一態様において、無線ＬＡＮ（Ｗｉｒｅｌｅｓｓ  Ｌｏｃａｌ  Ａｃｃｅｓｓ  Ｎｅｔｗｏｒｋ）におけるｎｏｎ−ＡＰステーションのインターワーキング手順が提供される。前記インターワーキング手順は、通知プロトコル（ａｄｖｅｒｔｉｓｅｍｅｎｔ  ｐｒｏｔｏｃｏｌ）ＩＤ及びネイティブ質疑情報ＩＤを含む要請メッセージを伝送し、前記通知プロトコルＩＤは、ネイティブ質疑プロトコル（ｎａｔｉｖｅ  ｑｕｅｒｙ  ｐｒｏｔｏｃｏｌ）を示す値に設定され、前記ネイティブ質疑情報ＩＤは、緊急呼び出し番号（ｅｍｅｒｇｅｎｃｙ  ｃａｌｌ  ｎｕｍｂｅｒ）情報を示す値に設定され、及びＡＰ（ａｃｃｅｓｓ  ｐｏｉｎｔ）から零またはそれ以上の緊急呼び出し番号を含む応答メッセージを受信することを含む。
【００１３】
本発明の他の態様において、無線ＬＡＮにおけるアクセスポイント（ａｃｃｅｓｓ  ｐｏｉｎｔ、ＡＰ）のインターワーキング手順が提供される。前記インターワーキング手順は、通知プロトコル（ａｄｖｅｒｔｉｓｅｍｅｎｔ  ｐｒｏｔｏｃｏｌ）ＩＤ及びネイティブ質疑情報ＩＤを含む要請メッセージをｎｏｎ−ＡＰステーションから受信し、前記通知プロトコルＩＤは、ネイティブ質疑プロトコル（ｎａｔｉｖｅ  ｑｕｅｒｙ  ｐｒｏｔｏｃｏｌ）を示す値に設定され、前記ネイティブ質疑情報ＩＤは、緊急呼び出し番号（ｅｍｅｒｇｅｎｃｙ  ｃａｌｌ  ｎｕｍｂｅｒ）情報を示す値に設定され、及び零またはそれ以上の緊急呼び出し番号を含む応答メッセージを前記ｎｏｎ−ＡＰステーションに伝送することを含む。
【００１４】
本発明の他の態様において、無線ＬＡＮにおけるインターワーキング手順に使われるＧＡＳ（ｇｅｎｅｒｉｃ  ａｄｖｅｒｔｉｓｅｍｅｎｔ  ｓｅｒｖｉｃｅ）初期要請メッセージを構成する方法が提供される。前記ＧＡＳ初期要請メッセージは、パブリックアクションフレームを示す値に設定されたカテゴリフィールド；ＧＡＳ初期応答アクションを示す値に設定されたアクションフィールド；前記ＧＡＳ初期要請フレームと前記ＧＡＳ初期要請フレームに対する応答であるＧＡＳ初期応答フレームとの交換を識別するように要請ステーションによって設定されるダイアログトークンフィールド；ネイティブ質疑プロトコルを示す値に設定された通知プロトコルＩＤを含む通知プロトコル情報要素；及び緊急呼び出し番号情報を示す値に設定されたネイティブ質疑情報ＩＤを含む質疑要請フィールドを含む。
【００１５】
本発明の他の態様において、無線ＬＡＮにおけるインターワーキング手順に使われるＧＡＳ（ｇｅｎｅｒｉｃ  ａｄｖｅｒｔｉｓｅｍｅｎｔ  ｓｅｒｖｉｃｅ）初期応答メッセージを構成する方法が提供される。前記ＧＡＳ初期応答メッセージは、パブリックアクションフレームを示す値に設定されたカテゴリフィールド；ＧＡＳ初期要請アクションを示す値に設定されたアクションフィールド；対応する前記ＧＡＳ初期要請フレームと同じ値に設定されたダイアログトークンフィールド；ネイティブ質疑プロトコルを示す値に設定された通知プロトコルＩＤを含む通知プロトコル情報要素；及び緊急呼び出し番号要素を含む質疑応答フィールドを含む。
【００１６】
本発明の他の態様において、無線ＬＡＮにおけるインターワーキング手順を支援するｎｏｎ−ＡＰ（ａｃｃｅｓｓ  ｐｏｉｎｔ）ステーションが提供される。前記ｎｏｎ−ＡＰステーションは、フレームを生成して処理するプロセッサ；及び前記プロセッサと連結されて、前記プロセッサによる前記フレームを伝送して受信する送受信機を含み、前記プロセッサは、ネイティブ質疑プロトコル（ｎａｔｉｖｅ  ｑｕｅｒｙ  ｐｒｏｔｏｃｏｌ）を示す値に設定された前記通知プロトコルＩＤ及び緊急呼び出し番号（ｅｍｅｒｇｅｎｃｙ  ｃａｌｌ  ｎｕｍｂｅｒ）情報を示す値に設定された前記ネイティブ質疑情報ＩＤを含むＧＡＳ（ｇｅｎｅｒｉｃ  ａｄｖｅｒｔｉｓｅｍｅｎｔ  ｓｅｒｖｉｃｅ）初期要請フレームを生成して、前記ＧＡＳ初期要請フレームを前記送受信機にフォーワーディング（ｆｏｒｗａｒｄ）し、前記送受信機は、前記ＧＡＳ初期要請フレームを伝送して、また、ＡＰから前記ＧＡＳ初期要請フレームに対する応答として、一つまたはその以上の緊急呼び出し番号を含むＧＡＳ初期応答フレームを受信して、前記受信されたＧＡＳ初期応答フレームを前記プロセッサにフォーワーディングして、及び、さらに、前記プロセッサは、前記ＧＡＳ初期応答フレームを処理する。
【００１７】
本発明の他の態様において、無線ＬＡＮにおけるインターワーキング手順を支援するアクセスポイント（ａｃｃｅｓｓ  ｐｏｉｎｔ、ＡＰ）が提供される。前記アクセスポイントは、フレームを生成して処理するプロセッサ；及び前記プロセッサと連結されて、前記プロセッサによる前記フレームを伝送して受信する送受信機を含み、前記送受信機は、ｎｏｎ−ＡＰステーションからネイティブ質疑プロトコル（ｎａｔｉｖｅ  ｑｕｅｒｙ  ｐｒｏｔｏｃｏｌ）を示す値に設定された前記通知プロトコルＩＤ及び緊急呼び出し番号（ｅｍｅｒｇｅｎｃｙ  ｃａｌｌ  ｎｕｍｂｅｒ）情報を示す値に設定された前記ネイティブ質疑情報ＩＤを含むＧＡＳ（ｇｅｎｅｒｉｃ  ａｄｖｅｒｔｉｓｅｍｅｎｔ  ｓｅｒｖｉｃｅ）初期要請フレームを受信して、前記ＧＡＳ初期要請フレームを前記プロセッサにフォーワーディング（ｆｏｒｗａｒｄ）し、前記プロセッサは、前記ＧＡＳ初期要請フレームを処理して、また、前記ＧＡＳ初期要請フレームに対する応答として、一つまたはその以上の緊急呼び出し番号を含むＧＡＳ初期応答フレームを生成して、前記ＧＡＳ初期応答フレームを前記プロセッサにフォーワーディングして、及び、さらに、前記送受信機は、前記ＧＡＳ初期応答フレームを前記ｎｏｎ−ＡＰステーションに伝送する。
【発明の効果】
【００１８】
本発明の実施例によると、基地局（アクセスポイント）を介して無線ＬＡＮに結合前であるとしても、端末（ステーション）は、そのネットワークで支援される緊急呼び出し番号を基地局に要請することができる。また、端末からの要請があれば、基地局は、一つまたはその以上の緊急呼び出し番号を端末に知らせることができる。このような本発明の実施例によると、結合（Ａｓｓｏｃｉａｔｉｏｎ）前の場合であるとしても、使用者は、該当ネットワークを介して支援される緊急サービスセンタの連絡先を把握し、または必要な場合にはこれを端末に格納しておくことができる。また、緊急状況が発生した場合にはこの連絡先を用いて緊急呼び出しをすることができる。
【００１９】
この場合、前記緊急呼び出し番号は、基地局に予め形成（ｃｏｎｆｉｇｕｒｅ）されているデータであってもよい。これによると、端末からの緊急呼び出し番号要請がある場合にも、基地局は、分配システムや外部ネットワークのサーバと別途に通信することなく、端末に緊急呼び出し番号を提供することができる。
【図面の簡単な説明】
【００２０】
【図１】本発明の実施例が適用されることができる無線ＬＡＮシステムを含むＩＥＥＥ８０２．１１インターワーキングアーキテクチャを示すダイアグラムである。
【図２】本発明の一実施例に係る外部ネットワークとのインターワーキングのための手順を説明するためのメッセージの流れ図である。
【図３】本実施例の一側面にともなうＧＡＳ初期要請フレーム（Ｉｎｉｔｉａｌ  Ｒｅｑｕｅｓｔ  Ｆｒａｍｅ）のフォーマットを示すブロック図である。
【図４】図３の通知プロトコル情報要素のフォーマットの一例を示すブロック図である。
【図５】図４の通知プロトコル集合フィールドのフォーマットの一例を示すブロック図である。
【図６】本実施例の一側面にともなうＧＡＳ初期応答フレーム（ＧＡＳ  Ｉｎｉｔｉａｌ  Ｒｅｑｕｅｓｔ  Ｆｒａｍｅ）のフォーマットを示すブロック図である。
【図７】図６の質疑応答フィールドに含まれることができる緊急呼び出し番号情報要素のフォーマットの一例を示すブロック図である。
【図８】本実施例の他の側面にともなうＧＡＳ初期応答フレーム（ＧＡＳ  Ｉｎｉｔｉａｌ  Ｒｅｑｕｅｓｔ  Ｆｒａｍｅ）のフォーマットを示すブロック図である。
【発明を実施するための形態】
【００２１】
以下、本発明の実施例を添付図面を参照して詳細に説明する。然しながら、本発明は、多くの他の形態で具現されることができ、以下、記述される実施例に限定することではない。この実施例は、本開示が徹底且つ完全するようにして、当業者に本発明の思想を伝達するようにするためである。実施例及び図面において、各要素は、便宜上、参照符号で表すことができる。以下の実施例では無線通信システムのうち、無線ＬＡＮ（Ｗｉｒｅｌｅｓｓ  Ｌｏｃａｌ  Ａｃｃｅｓｓ  Ｎｅｔｗｏｒｋ、ＷＬＡＮ）システムを例えて説明するが、これは単に例示に過ぎない。
【００２２】
図１は、本発明の実施例に係るインターワーキング手順が適用されることができる無線ＬＡＮシステムを含むＩＥＥＥ８０２．１１インターワーキングアーキテクチャを示すダイアグラムである。インターワーキングサービス（Ｉｎｔｅｒｗｏｒｋｉｎｇ  Ｓｅｒｖｉｃｅ）は、ＩＥＥＥ８０２．１１ｕ標準に規定されている。インターワーキングサービスの主な目的は、外部ネットワーク（Ｅｘｔｅｒｎａｌ  Ｎｅｔｗｏｒｋ）からの情報伝達を可能にして、ネットワーク選択を助け、緊急サービスが可能できるようにすることである。ＩＥＥＥ８０２．１１ｕ標準規格は、このための諸般プロトコル、例えば、インターワーキングインターフェース（Ｉｎｔｅｒｗｏｒｋｉｎｇ  Ｉｎｔｅｒｆａｃｅ）に関して規定している。このようなインターワーキングサービスにおけるｎｏｎ−ＡＰ  ＳＴＡである端末は、外部ネットワークのサブスクリプション（Ｓｕｂｓｃｒｉｐｔｉｏｎ）や他の特性に応じて、前記外部ネットワークによって提供されるサービスに接続することができる。
【００２３】
図１を参照すると、無線ＬＡＮシステムにおけるインターワーキングの可能な（Ｉｎｔｅｒｗｏｒｋｉｎｇ−ｃａｐａｂｌｅ）アクセスポイント（ａｃｃｅｓｓ  ｐｏｉｎｔ、ＡＰ）は、論理インターワーキングインターフェース（Ｌｏｇｉｃａｌ  Ｉｎｔｅｒｗｏｒｋｉｎｇ  Ｉｎｔｅｒｆａｃｅ）を用いて外部ネットワークとインターワーキングすることができる。図１において、外部ネットワークは、ＳＳＰＮ（Ｓｕｂｓｃｒｉｐｔｉｏｎ  Ｓｅｒｖｉｃｅ  Ｐｒｏｖｉｄｅｒ  Ｎｅｔｗｏｒｋ）として象徴的に表示されており、その具体的な構成は、本発明の実施例とは関連がない。外部ネットワークは、インターワーキングインターフェースを介してアクセスポイントとＡＡＡ（Ａｕｔｈｅｎｔｉｃａｔｉｏｎ，Ａｕｔｈｏｒｉｚａｔｉｏｎ，  ａｎｄ  Ａｃｃｏｕｎｔｉｎｇ）及びデータ連結（ｃｏｎｎｅｃｔｉｏｎ）を有する。また、インターワーキングインターフェースは、ポータル（Ｐｏｒｔａｌ）と８０２．ｘＬＡＮを透明に通過する。
【００２４】
無線ＬＡＮシステムは、一つまたはその以上の基本サービスセット（Ｂａｓｉｃ  Ｓｅｒｖｉｃｅ  Ｓｅｔ、ＢＳＳ）を含む。ＢＳＳは、成功的に同期化されてお互いに通信できるステーション（Ｓｔａｔｉｏｎ、ＳＴＡ）の集合であろ、特定領域を示す概念ではない。ＢＳＳは、インフラストラクチャＢＳＳ（ｉｎｆｒａｓｔｒｕｃｔｕｒｅ  ＢＳＳ）と独立ＢＳＳ（Ｉｎｄｅｐｅｎｄｅｎｔ  ＢＳＳ、ＩＢＳＳ）に区分できる。インフラストラクチャＢＳＳ（ＢＳＳ１、ＢＳＳ２）は、一つまたはその以上のＳＴＡ（ＳＴＡ１、ＳＴＡ３、ＳＴＡ４）、分配サービス（Ｄｉｓｔｒｉｂｕｔｉｏｎ  Ｓｅｒｖｉｃｅ）を提供するＳＴＡであるアクセスポイント（ａｃｃｅｓｓ  ｐｏｉｎｔ、ＡＰ）、及び複数のＡＰを連結させる分配システム（Ｄｉｓｔｒｉｂｕｔｉｏｎ  Ｓｙｓｔｅｍ、ＤＳ）を含む。一方、ＩＢＳＳは、ＡＰを含まないため、全てのＳＴＡが移動ステーション（ＳＴＡ６、ＳＴＡ７、ＳＴＡ８）からなっている。ＩＢＳＳはＤＳへの接続が許容されないため、自分完備的ネットワーク（ｓｅｌｆ−ｃｏｎｔａｉｎｅｄ  ｎｅｔｗｏｒｋ）をなす。本発明の実施例は、インフラストラクチャＢＳＳと関連がある。
【００２５】
ＳＳＩＤ（ｓｅｒｖｉｃｅ  ｓｅｔ  ｉｄｅｎｔｉｆｉｅｒ）に定義される可能な（ｒｅａｃｈａｂｌｅ）ネットワークの集合において、前記ネットワークによって提供されるサービスがあるＢＳＳから全てのＢＳＳに可能なＢＳＳの集合は、ＨＥＳＳＩＤ（ｈｏｍｏｇｅｎｅｏｕｓ  ｅｘｔｅｎｄｅｄ  ｓｅｒｖｉｃｅ  ｓｅｔ  ｉｄｅｎｔｉｆｉｅｒ）によって示される。ＨＥＳＳＩＤによって識別される全てのＢＳＳは、一つのＢＳＳが定義される場合、同じ移動性領域（ｍｏｂｉｌｉｔｙ  ｄｏｍａｉｎ）に属していなければならない。
【００２６】
ＳＴＡは、ＩＥＥＥ８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理層（Ｐｈｙｓｉｃａｌ  Ｌａｙｅｒ）インターフェースとを含む任意の機能媒体であり、広義ではＡＰとｎｏｎ−ＡＰ  ＳＴＡ（ｎｏｎ−ＡＰ  Ｓｔａｔｉｏｎ）との両方とも含む。このうち、使用者が操作する携帯用端末は、ｎｏｎ−ＡＰ  ＳＴＡ（ＳＴＡ１、ＳＴＡ３、ＳＴＡ４、ＳＴＡ６、ＳＴＡ７、ＳＴＡ８）であり、単純にＳＴＡという時はｎｏｎ−ＡＰ  ＳＴＡを指すこともある。ｎｏｎ−ＡＰ  ＳＴＡは、無線送受信ユニット（Ｗｉｒｅｌｅｓｓ  Ｔｒａｎｓｍｉｔ／Ｒｅｃｅｉｖｅ  Ｕｎｉｔ、ＷＴＲＵ）、使用者装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、携帯用端末（ＰｏｒｔａｂｌｅＴｅｒｍｉｎａｌ）、または移動サブスクライバユニット（Ｍｏｂｉｌｅ  Ｓｕｂｓｃｒｉｂｅｒ  Ｕｎｉｔ）など、他の名称で呼ばれることもできる。
【００２７】
ＡＰ（ＡＰ１及びＡＰ２）は、関連されているＳＴＡ（Ａｓｓｏｃｉａｔｅｄ  Ｓｔａｔｉｏｎ）のために無線媒体（ｗｉｒｅｌｅｓｓ  ｍｅｄｉｕｍ）を経由してＤＳに対する接続を提供する機能個体である。ＡＰを含むインフラストラクチャＢＳＳでｎｏｎ−ＡＰ  ＳＴＡ間の通信は、ＡＰを経由して行われるのが原則や、ダイレクトリンクが設定された場合にはｎｏｎ−ＡＰ  ＳＴＡ間でも直接通信が可能である。ＡＰは、アクセスポイントという名称外に、集中制御器（Ｃｏｎｖｅｒｇｅｎｃｅ  ｃｏｎｔｒｏｌｌｅｒ）、基地局（Ｂａｓｅ  Ｓｔａｔｉｏｎ、ＢＳ）、ノードＢ、ＢＴＳ（Ｂａｓｅ  Ｔｒａｎｓｃｅｉｖｅｒ  Ｓｙｓｔｅｍ）、またはサイト制御器などとも呼ばれることができる。
【００２８】
複数のインフラストラクチャＢＳＳは、分配システム（Ｄｉｓｔｒｉｂｕｔｉｏｎ  Ｓｙｓｔｅｍ、ＤＳ）を介して相互連結されることができる。ＤＳを介して連結された複数のＢＳＳを拡張サービスセット（Ｅｘｔｅｎｄｅｄ  Ｓｅｒｖｉｃｅ  Ｓｅｔ、ＥＳＳ）という。ＥＳＳに含まれるＳＴＡは、お互いに通信することができて、同じＥＳＳ内でｎｏｎ−ＡＰ  ＳＴＡは切れることなく通信しながら一つのＢＳＳから他のＢＳＳに移動することができる。
【００２９】
ＤＳは、一つのＡＰが他のＡＰと通信するためのシステムである。これによると、ＡＰは、自分の管理するＢＳＳに関連されているＳＴＡのためにフレームを伝送する、或いはいずれか一つのＳＴＡが他のＢＳＳに移動した場合にフレームを伝達する、或いは有線ネットワークなどのような外部ネットワークとフレームを伝達することができる。このようなＤＳは、ＩＥＥＥ８０２．１１に規定された所定の分配サービスを提供することができる限り、その形態や特性などに対しては何らの制限がないため、多様な類型及び／または特性を有するネットワークが可能である。
【００３０】
例えば、ＤＳは、メッシュ（ｍｅｓｈ）ネットワークのような無線ネットワークであり、或いはＡＰをお互いに連結させる物理的な構造物（有線ネットワーク）であってもよい。無線ＤＳ、例えば、ＩＥＥＥ８０２．１１ｓのメッシュネットワークでは終端間遅延（ｅｎｄ−ｔｏ−ｅｎｄ  ｄｅｌａｙ）やスループットが有線ネットワークに比べて顕著に低下されることができる。然しながら、無線ネットワークは、有線ネットワークが設置され難い所に一層柔軟な構造で設置されることができる。有線ネットワークまたは無線ネットワークに関係なしに、ＤＳは、特性や性能に応じて支援するデータ伝送速度や帯域幅などにおいて一定の差があることもあり、インターネットのような外部ネットワークへの連結もお互いに異なっても良い。
【００３１】
図２は、本発明の一実施例に係る外部ネットワークとのインターワーキングのための手順を説明するためのメッセージの流れ図である。本実施例は、外部ネットワークからの緊急サービスを支援するために、特定地域で使われる緊急サービスセンタ（Ｅｍｅｒｇｅｎｃｙ  Ｓｅｒｖｉｃｅ  Ｃｅｎｔｅｒ）に対する緊急呼び出し番号を端末が基地局から獲得する手順である。緊急サービスセンタは、例えば、該当地域の公共安全応答ポイント（Ｐｕｂｌｉｃ  Ｓａｆｅｔｙ  Ａｎｓｗｅｒｉｎｇ  Ｐｏｉｎｔ、ＰＳＡＰ）、或いはその地域におけるデフォルト緊急呼び出しセンタ（ｄｅｆａｕｌｔ  ｅｍｅｒｇｅｎｃｙ  ｃａｌｌ  ｃｅｎｔｅｒ）である。
【００３２】
図２を参照すると、まず端末（ｎｏｎ−ＡＰ  ＳＴＡ）と基地局（ＡＰ）との間でプローブ要請フレームとプローブ応答フレームをやり取りする能動スキャニング手順（Ａｃｔｉｖｅ  Ｓｃａｎｎｉｎｇ  Ｐｒｏｃｅｄｕｒｅ、Ｓ１０及びＳ２０）を遂行した後、汎用通知サービス（Ｇｅｎｅｒｉｃ  Ａｄｖｅｒｔｉｓｅｍｅｎｔ  Ｓｅｒｖｉｃｅ、ＧＡＳ）手順（Ｓ３０及びＳ４０）を遂行する。図２に示されている能動スキャニング手順（Ｓ１０及びＳ２０）は、単に汎用通知サービス手順（Ｓ３０及びＳ４０）の予備手順の一例を例示的に示したものである。たとえ、図面に示していないとしても、汎用サービス手順（Ｓ３０及びＳ４０）の予備手順は、例えば、スキャニング手順と認証手順（Ａｕｔｈｅｎｔｉｃａｔｉｏｎ  Ｐｒｏｃｅｄｕｒｅ）だけを含む、或いはその他にも追加的に結合手順（Ａｓｓｏｃｉａｔｉｏｎ  Ｐｒｏｃｅｄｕｒｅ）及び／または再結合手順（Ｒｅａｓｓｏｃｉａｔｉｏｎ  Ｐｒｏｃｅｄｕｒｅ）をさらに含むことができる。従って、本発明の実施例によると、汎用通知サービス手順（Ｓ３０及びＳ４０）は、結合または再結合手順の完了以前、または以後の状態にある端末（ｎｏｎ−ＡＰ  ＳＴＡ）と基地局（ＡＰ）との間に遂行することができる。
【００３３】
一般的に、スキャニング手順は、ｎｏｎ−ＡＰ  ＳＴＡが結合または再結合手順で結合する対象になる候補ＡＰを探す過程を意味する。このようなスキャニング手順は、二つの類型がある。第１の方法は、受動スキャン（Ｐａｓｓｉｖｅ  Ｓｃａｎ）方法であって、ＡＰから周期的に伝送されるビーコンフレーム（Ｂｅａｃｏｎ  Ｆｒａｍｅ）を用いる方法である。これによると、無線ＬＡＮに接続しようとするｎｏｎ−ＡＰ  ＳＴＡは、該当ＢＳＳを管理するＡＰから周期的に伝送されるビーコンフレームを受信して、接続可能なＢＳＳを探すことができる。
【００３４】
第２の方法は、図２の段階Ｓ１０及びＳ２０に示されているような能動スキャン（Ａｃｔｉｖｅ  Ｓｃａｎ）方法である。これによると、無線ＬＡＮシステムに接続しようとするｎｏｎ−ＡＰ  ＳＴＡがまずプローブ要請フレーム（Ｐｒｏｂｅ  Ｒｅｑｕｅｓｔ  Ｆｒａｍｅ）を伝送する（Ｓ１０）。また、前記プローブ要請フレームを受信したＡＰは、自分の管理するＢＳＳのサービスセットＩＤ（Ｓｅｒｖｉｃｅ  Ｓｅｔ  ＩＤ、ＳＳＩＤ）と自分が支援する能力値（Ｃａｐａｂｉｌｉｔｙ）などの情報が含まれたプローブ応答フレーム（Ｐｒｏｂｅ  Ｒｅｓｐｏｎｓｅ  Ｆｒａｍｅ）をｎｏｎ−ＡＰ  ＳＴＡに伝送する（Ｓ２０）。従って、ｎｏｎ−ＡＰ  ＳＴＡは、受信されたプローブ応答フレームを介して候補ＡＰの存在と共に前記候補ＡＰに関する多様な情報を知ることができる。
【００３５】
ｎｏｎ−ＡＰ  ＳＴＡ及び／またはＡＰがインターワーキングサービスを支援する装置である場合、スキャン過程で伝送されるビーコンフレーム、プローブ要請フレーム、及び／またはプローブ応答フレームにはインターワーキング情報要素（Ｉｎｔｅｒｗｏｒｋｉｎｇ  Ｉｎｆｏｒｍａｔｉｏｎ  Ｅｌｅｍｅｎｔ）が含まれることができる。インターワーキング情報要素は、ｎｏｎ−ＡＰ  ＳＴＡまたはＡＰのインターワーキングサービス能力値に関する情報を知らせるためのものである。
【００３６】
また、ＡＰが伝送するビーコンフレームやプローブ応答フレームには通知プロトコル情報要素（Ａｄｖｅｒｔｉｓｅｍｅｎｔ  ｐｒｏｔｏｃｏｌ  Ｉｎｆｏｒｍａｔｉｏｎ  Ｅｌｅｍｅｎｔ）が含まれることができる。通知プロトコル情報要素は、ＡＰがインターワーキングサービスを支援して、また、一つ以上の汎用通知サービス対象が定義されている場合に伝送される。これには特定の通知プロトコルとこれに対応する通知制御を識別する情報などが含まれる。また、前記通知プロトコル情報要素にはＡＰで支援可能な通知プロトコルＩＤ（Ａｄｖｅｒｔｉｓｅ  Ｐｒｏｔｏｃｏｌ  ＩＤ）が含まれることができる。
【００３７】
認証手順は、無線通信に参加する個体間に認証手順と暗号化方式などを交渉する過程である。例えば、ｎｏｎ−ＡＰ  ＳＴＡは、スキャニング手順（Ｓ１０及びＳ２０）で探した一つ以上のＡＰの中から結合しようとするＡＰと認証手順を遂行することができる。ＷＬＡＮでは主にオープンシステム（Ｏｐｅｎ  Ｓｙｓｔｅｍ）認証方式を使用するため、ＡＰは、ｎｏｎ−ＡＰ  ＳＴＡからの認証要請に対して何らの条件無しに認証過程を遂行する。一層強化された認証方式には、ＩＥＥＥ８０２．１ｘ基盤ＥＡＰ−ＴＬＳ（Ｅｘｔｅｎｓｉｂｌｅ  Ａｕｔｈｅｎｔｉｃａｔｉｏｎ  Ｐｒｏｔｏｃｏｌ−Ｔｒａｎｓｐｏｒｔ  Ｌａｙｅｒ  Ｓｅｃｕｒｉｔｙ）、ＥＡＰ−ＴＴＬＳ（Ｅｘｔｅｎｓｉｂｌｅ  Ａｕｔｈｅｎｔｉｃａｔｉｏｎ  Ｐｒｏｔｏｃｏｌ−Ｔｕｎｎｅｌｅｄ  Ｔｒａｎｓｐｏｒｔ  Ｌａｙｅｒ  Ｓｅｃｕｒｉｔｙ）、ＥＡＰ−ＦＡＳＴ（Ｅｘｔｅｎｓｉｂｌｅ  Ａｕｔｈｅｎｔｉｃａｔｉｏｎ  Ｐｒｏｔｏｃｏｌ−Ｆｌｅｘｉｂｌｅ  Ａｕｔｈｅｎｔｉｃａｔｉｏｎ  ｖｉａ  Ｓｅｃｕｒｅ  Ｔｕｎｎｅｌｉｎｇ）、ＰＥＡＰ（Ｐｒｏｔｅｃｔｅｄ  Ｅｘｔｅｎｓｉｂｌｅ  Ａｕｔｈｅｎｔｉｃａｔｉｏｎ  Ｐｒｏｔｏｃｏｌ）などがある。
【００３８】
認証手順で成功的に認証を完了した時、ｎｏｎ−ＡＰ  ＳＴＡは、ＡＰと結合手順を遂行することができる。結合手順は、ｎｏｎ−ＡＰ  ＳＴＡとＡＰとの間に識別可能な連結、即ち、無線リンクを設定することを意味する。結合手順のために、ｎｏｎ−ＡＰ  ＳＴＡは、まず認証手順を成功的に完了したＡＰに結合要請フレーム（Ａｓｓｏｃｉａｔｉｏｎ  Ｒｅｑｕｅｓｔ  Ｆｒａｍｅ）を伝送して、ＡＰはこれに対する応答として、‘成功（Ｓｕｃｃｅｓｓｆｕｌ）’という状態値を有する結合応答フレーム（Ａｓｓｏｃｉａｔｉｏｎ  Ｒｅｓｐｏｎｓｅ  Ｆｒａｍｅ）をｎｏｎ−ＡＰ  ＳＴＡに伝送する。前記結合応答フレームには特定ｎｏｎ−ＡＰ  ＳＴＡとの結合を識別することができる識別子、例えば、結合ＩＤ（Ａｓｓｏｃｉａｔｉｏｎ  ＩＤ、ＡＩＤ）が含まれる。
【００３９】
結合手順が成功的に完了した後であるとしても可変的なチャネル状況に応じてｎｏｎ−ＡＰ  ＳＴＡとＡＰとの連結状態が悪くなる場合などに、ｎｏｎ−ＡＰ  ＳＴＡは、チャネル状況の良い他のＡＰと再び結合過程を遂行することができる。これを再結合手順（Ｒｅａｓｓｏｃｉａｔｉｏｎ  Ｐｒｏｃｅｄｕｒｅ）という。このような再結合手順は、前述した結合手順と相当類似する。より具体的に、再結合手順ではｎｏｎ−ＡＰ  ＳＴＡは、現在結合されているＡＰでない他のＡＰ（例えば、前述した探索過程（Ｓ１０及びＳ２０）で探した候補ＡＰの中から認証手順を成功的に完了したＡＰ）に再結合要請フレームを伝送して、前記他のＡＰは、再結合応答フレームをｎｏｎ−ＡＰ  ＳＴＡに伝送する。ただし、再結合要請フレームには以前に結合したＡＰに関する情報がさらに含まれ、この情報を介して再結合ＡＰは、既存ＡＰにバッファーリングされているデータをｎｏｎ−ＡＰ  ＳＴＡに伝達することができる。
【００４０】
また、図２を参照すると、該当地域で使われる公共安全応答ポイント（ＰＳＡＰ）またはデフォルト緊急呼び出しセンタの緊急呼び出し番号を獲得しようとするｎｏｎ−ＡＰ  ＳＴＡは、ネイティブ汎用通知サービス手順（Ｎａｔｉｖｅ  ＧＡＳ  Ｐｒｏｃｅｄｕｒｅ）をＡＰと進行する（Ｓ３０及びＳ４０）。ネイティブＧＡＳ手順は、ｎｏｎ−ＡＰ  ＳＴＡがＡＰを介して支援されるサービスを発見するために使われるネイティブＧＡＳプロトコルに基づいた手順である。
【００４１】
より具体的に、まずｎｏｎ−ＡＰ  ＳＴＡが緊急呼び出し番号を要請する要請メッセージ、例えば、汎用通知サービス初期要請フレーム（ＧＡＳ  Ｉｎｉｔｉａｌ  Ｒｅｑｕｅｓｔ  Ｆｒａｍｅ）をＡＰに伝送する（Ｓ３０）。ＧＡＳ初期要請メッセージは、少なくともネイティブ質疑プロトコル（ｎａｔｉｖｅ  ｑｕｅｒｙ  ｐｒｏｔｏｃｏｌ）を指示する値に設定された通知プロトコルＩＤ（Ａｄｖｅｒｔｉｓｅｍｅｎｔ  ｐｒｏｔｏｃｏｌ  ＩＤ）と、緊急呼び出し番号情報を指示する値に設定されたネイティブ質疑情報ＩＤ（ｎａｔｉｖｅ  ｑｕｅｒｙ  ｉｎｆｏｒｍａｔｉｏｎ  ＩＤ）と、を含むメッセージであってもよい。然しながら、ここに限定することではない。
【００４２】
図３は、本実施例の一側面にともなうＧＡＳ初期要請フレーム（Ｉｎｉｔｉａｌ  Ｒｅｑｕｅｓｔ  Ｆｒａｍｅ）のフォーマットを示すブロック図である。ＧＡＳ初期要請フレームは、パブリックアクションフレーム（Ｐｕｂｌｉｃ  ａｃｔｉｏｎ  ｆｒａｍｅ）の一つであり、パブリックアクションフレームとはＢＳＳ間、またはＡＰとこのＡＰに結合されないｎｏｎ−ＡＰ  ＳＴＡとの間の通信や汎用通知サービスのために定義されるフレームを示す。パブリックアクションフレームには、ＧＡＳ初期要請フレーム、ＧＡＳ初期応答フレーム（Ｉｎｉｔｉａｌ  Ｒｅｓｐｏｎｓｅ  Ｆｒａｍｅ）、ＧＡＳカムバック要請フレーム（Ｃｏｍｅｂａｃｋ  Ｒｅｑｕｅｓｔ  Ｆｒａｍｅ）、ＧＡＳカムバック応答フレーム（Ｃｏｍｅｂａｃｋ  Ｒｅｓｐｏｎｓｅ  Ｆｒａｍｅ）などがある。
【００４３】
図３を参照すると、ＧＡＳ初期要請フレームは、カテゴリ（Ｃａｔｅｇｏｒｙ）フィールド、アクション（Ａｃｔｉｏｎ）フィールド、ダイアログトークン（Ｄｉａｌｏｇ  ｔｏｋｅｎ）フィールド、通知プロトコル情報要素（Ａｄｖｅｒｔｉｓｅｍｅｎｔ  ｐｒｏｔｏｃｏｌ  ｉｎｆｏｒｍａｔｉｏｎ  ｅｌｅｍｅｎｔ）フィールド、質疑要請長さ（Ｑｕｅｒｙ  Ｒｅｑｕｅｓｔ  ｌｅｎｇｔｈ）フィールド、及び質疑要請（Ｑｕｅｒｙ  Ｒｅｑｕｅｓｔ）フィールドを含む。
【００４４】
カテゴリフィールドは、パブリックアクションフレームを指示する値に設定される。アクションフィールドは、ＧＡＳ初期要請アクションを指示する値に設定される。ダイアログトークンフィールドは、ＧＡＳ初期要請フレームを伝送するｎｏｎ−ＡＰ  ＳＴＡによって選択される任意の値に設定され、前記ＧＡＳ初期要請フレームとこれに対応するＧＡＳ初期応答フレームとの交換を識別するためのものである。
【００４５】
通知プロトコル情報要素は、特定通知プロトコル（ｐａｒｔｉｃｕｌａｒ  ａｄｖｅｒｔｉｓｅｍｅｎｔ  ｐｒｏｔｏｃｏｌ）及びこれに対応する通知制御（ｉｔｓ  ｃｏｒｒｅｓｐｏｎｄｉｎｇ  ａｄｖｅｒｔｉｓｅｍｅｎｔ  ｃｏｎｔｒｏｌ）を識別する情報を含む。通知プロトコル情報要素のフォーマットの一例は、図４に示されている。図４を参照すると、通知プロトコル情報要素は、要素ＩＤ（Ｅｌｅｍｅｎｔ  ＩＤ）フィールド、長さ（Ｌｅｎｇｔｈ）フィールド、及びＮ（ただ、Ｎは自然数）個の通知プロトコル集合フィールド（Ａｄｖｅｒｔｉｓｅｍｅｎｔ  ｐｒｏｔｏｃｏｌ  Ｔｕｐｌｅ  ＃１、Ａｄｖｅｒｔｉｓｅｍｅｎｔ  ｐｒｏｔｏｃｏｌ  Ｔｕｐｌｅ  ＃２、…、Ａｄｖｅｒｔｉｓｅｍｅｎｔ  ｐｒｏｔｏｃｏｌ  Ｔｕｐｌｅ  ＃Ｎ）を含む。
【００４６】
要素ＩＤフィールドは、通知プロトコル情報要素を指示する値に設定される。長さフィールドは、その後のＮ個の通知プロトコル集合フィールドの長さの和を指示する値に設定される。また、各々の通知プロトコル集合フィールドは、伝達方法（Ｄｅｌｉｖｅｒｙ  Ｍｅｔｈｏｄ）サブフィールド、質疑応答長さ限界（Ｑｕｅｒｙ  Ｒｅｓｐｏｎｓｅ  Ｌｅｎｇｔｈ  Ｌｉｍｉｔ）サブフィールド、及び／または通知プロトコルＩＤ（Ａｄｖｅｒｔｉｓｅｍｅｎｔ  ｐｒｏｔｏｃｏｌ  ＩＤ）サブフィールドを含み、そのフォーマットの一例は、図５に示されている。
【００４７】
伝達方法サブフィールドは、ＡＰが通知プロトコルＩＤサブフィールドに特定されている通知プロトコルに対してフレームを伝送する方法を指示する値に設定される。例えば、伝達方法サブフィールドが‘１’に設定された場合はマルチキャスト方法によって伝送することを意味し、伝達方法サブフィールドが‘０’に設定された場合はユニキャスト方法によって伝送することを意味する。質疑応答長さ限界サブフィールドは、ＡＰが一つまたはその以上のＧＡＳカムバック応答フレームに含まれる質疑応答フィールドに含ませて伝送する情報の最大長さを指示する値に設定される。
【００４８】
また、通知プロトコルＩＤサブフィールドは、ネイティブ質疑プロトコル（Ｎａｔｉｖｅ  ｑｕｅｒｙ  ｐｒｏｔｏｃｏｌ）を指示する値に設定される。ネイティブ質疑プロトコルは、地域的に（ｌｏｃａｌｌｙ）備えられているデータを獲得するためにｎｏｎ−ＡＰ  ＳＴＡが前記ＡＰに質疑時に使われるメカニズムである。即ち、ｎｏｎ−ＡＰ  ＳＴＡからの質疑がある場合、前記ＡＰは、分配システム（ＤＳ）または外部ネットワークにあるサーバに、要請を受けた質疑を問い合わせなく、直ちに受信された質疑に応答をする。
【００４９】
図３を参照すると、質疑要請長さフィールドは、その後の質疑要請フィールドに含まれる情報の総長さを指示する値に設定される。質疑要請フィールドは、ＧＡＳ質疑であり、通知プロトコル情報要素に特定されているプロトコルに応じてフォーマッティングされる。本実施例によると、質疑要請フィールドには緊急呼び出し番号情報を指示するＩＤ値が設定される。
【００５０】
図２を参照すると、ＡＰは、受信されたＧＡＳ初期要請フレームに対する応答として、ＧＡＳ初期応答フレーム（ＧＡＳ  Ｉｎｉｔｉａｌ  Ｒｅｓｐｏｎｓｅ  Ｆｒａｍｅ）を要請端末であるｎｏｎ−ＡＰ  ＳＴＡに伝送する（Ｓ４０）。前記ＧＡＳ初期応答フレームには要請を受けた緊急呼び出し番号が一つまたはその以上が含まれる場合もあり、或いは緊急呼び出し番号が含まれない場合もある。もし、ＧＡＳ初期要請フレームの質疑要請が前記ＡＰに備えられている情報に対応する場合、即ち、前記ＡＰに緊急呼び出し番号が格納されていると、前記ＧＡＳ初期応答フレームには要請を受けた一つまたはその以上の緊急呼び出し番号が含まれる。一方、ＧＡＳ初期要請フレームの質疑要請が前記ＡＰに備えられている情報に対応しない場合、即ち、前記ＡＰに緊急呼び出し番号が格納されていないと、前記ＧＡＳ初期応答フレームには緊急呼び出し番号が含まれない。
【００５１】
図６は、本実施例の一側面にともなうＧＡＳ初期応答フレーム（ＧＡＳ  Ｉｎｉｔｉａｌ  Ｒｅｑｕｅｓｔ  Ｆｒａｍｅ）のフォーマットを示すブロック図である。前述したように、ＧＡＳ初期応答フレームは、パブリックアクションフレーム（Ｐｕｂｌｉｃ  ａｃｔｉｏｎ  ｆｒａｍｅ）の一つである。図６を参照すると、ＧＡＳ初期応答フレームは、カテゴリ（Ｃａｔｅｇｏｒｙ）フィールド、アクション（Ａｃｔｉｏｎ）フィールド、ダイアログトークン（Ｄｉａｌｏｇ  ｔｏｋｅｎ）フィールド、状態コード（Ｓｔａｔｕｓ  Ｃｏｄｅ）フィールド、ＧＡＳ質疑ＩＤ（ＧＡＳＱｕｅｒｙＩＤ）フィールド、ＧＡＳグループ住所（ＧＡＳ  Ｇｒｏｕｐ  Ａｄｄｒｅｓｓ）フィールド、ＧＡＳカムバック遅延（ＧＡＳ  Ｃｏｍｅｂａｃｋ  Ｄｅｌａｙ）フィールド、通知プロトコル情報要素（Ａｄｖｅｒｔｉｓｅｍｅｎｔ  ｐｒｏｔｏｃｏｌ  ｉｎｆｏｒｍａｔｉｏｎ  ｅｌｅｍｅｎｔ）、質疑応答長さ（Ｑｕｅｒｙ  Ｒｅｓｐｏｎｓｅ  ｌｅｎｇｔｈ）フィールド、及び質疑応答（Ｑｕｅｒｙ  Ｒｅｓｐｏｎｓｅ）フィールドを含む。
【００５２】
カテゴリフィールドは、パブリックアクションフレームを指示する値に設定される。アクションフィールドは、ＧＡＳ初期応答アクションを指示する値に設定される。ダイアログトークンフィールドは、対応するＧＡＳ初期要請フレーム、即ち、受信されたＧＡＳ初期要請フレームに設定されている値と同じ値に設定される。
【００５３】
状態コードフィールドは、要請に対する応答の結果などを表す値に設定される。もし、ＧＡＳ初期要請フレームの質疑要請が前記ＡＰに備えられている情報に対応して、また、ＧＡＳ初期応答フレームに要請された情報（例えば、緊急呼び出し番号）が含まれる場合、前記状態コードフィールドは、‘Ｓｕｃｃｅｓｓｆｕｌ’を指示する値に設定される。一方、ＧＡＳ初期要請フレームの質疑要請が前記ＡＰに備えられている情報に対応しなく、また、ＧＡＳ初期応答フレームに要請された情報（例えば、緊急呼び出し番号）が含まれない場合、前記状態コードフィールドは‘Ｒｅｑｕｅｓｔ  Ｉｎｆｏ  ｎｏｔ  ｃｏｎｆｉｇｕｒｅｄ’を指示する値に設定される。このような状態コードフィールドに設定される値の一例は、例えば、ＩＥＥＥＰ８０２．１１−ＲＥＶｍａ／Ｄ９．０（ｒｅｖｉｓｉｏｎ  ｏｆ  ＩＥＥＥ  Ｓｔｄ  ８０２．１１−１９９９）規格のサブセクション７．３．１．９．に定義されている値である。
【００５４】
ＧＡＳ質疑ＩＤフィールドは、前記ｎｏｎ−ＡＰ  ＳＴＡの代わりに（ｏｎ  ｂｅｈａｌｆ  ｏｆ）実行された質疑を指示する値に設定される。本実施例の場合、ＧＡＳ質疑ＩＤフィールドには‘０’に設定される。ＧＡＳグループ住所フィールドは、質疑に対する応答がマルチキャスト方式の場合にはマルチキャストグループ住所を指示する値に設定され、もし、ユニキャスト方式の場合には‘０’に設定される。また、ＧＡＳカムバック遅延フィールドは、遅延時間を特定するためのことであるものである。
【００５５】
通知プロトコル情報要素は、特定通知プロトコル（ｐａｒｔｉｃｕｌａｒ  ａｄｖｅｒｔｉｓｅｍｅｎｔ  ｐｒｏｔｏｃｏｌ）及びこれに対応する通知制御（ｉｔｓ  ｃｏｒｒｅｓｐｏｎｄｉｎｇ  ａｄｖｅｒｔｉｓｅｍｅｎｔ  ｃｏｎｔｒｏｌ）を識別する情報を含む。通知プロトコル情報要素のフォーマットの一例は、図４を参照して前述したため、詳細な説明は省略する。質疑応答長さフィールドは、その後の質疑応答フィールドに含まれる情報の総長さを指示する値に設定される。
【００５６】
質疑応答フィールドは、汎用コンテナであり、その値はＧＡＳ質疑に対する応答であり、通知プロトコル情報要素に特定されているプロトコルに応じてフォーマッティングされる。本実施例によると、質疑応答フィールドには緊急呼び出し番号情報要素が含まれる。緊急呼び出し番号情報要素は、特定の地域で使われる公共安全応答ポイント（Ｐｕｂｌｉｃ  Ｓａｆｅｔｙ  Ａｎｓｗｅｒｉｎｇ  Ｐｏｉｎｔ、ＰＳＡＰ）またはデフォルト緊急呼び出しセンタのリストを提供するためのものである。緊急呼び出し番号情報要素のフォーマットに対する一例は、図７に示されている。
【００５７】
図７を参照すると、緊急呼び出し番号情報要素は、情報ＩＤ、長さ（Ｌｅｎｇｔｈ）フィールド、状態コードフィールド（Ｓｔａｔｕｓ  Ｃｏｄｅ）、及びＭ（Ｍは自然数）個の緊急呼び出し番号ユニット（Ｅｍｅｒｇｅｎｃｙ  ｃａｌｌ  ｎｕｍｂｅｒ  Ｕｎｉｔ  ＃１、Ｅｍｅｒｇｅｎｃｙ  ｃａｌｌ  ｎｕｍｂｅｒ  Ｕｎｉｔ  ＃２、…、Ｅｍｅｒｇｅｎｃｙ  ｃａｌｌ  ｎｕｍｂｅｒ  Ｕｎｉｔ  ＃Ｍ）を含む。情報ＩＤフィールドは、緊急呼び出し番号情報を指示する値に設定される。長さフィールドは、その後のフィールドの総長さを指示する値に設定される。状態コードフィールドは、表１に開示されている意味（Ｍｅａｎｉｎｇ）のうち一つを指示する値に設定される。
【００５８】
【表１】
2010532619.tif 000003
各々の緊急呼び出し番号ユニットは、緊急呼び出し番号長さ（Ｅｍｅｒｇｅｎｃｙ  ｃａｌｌ  ｎｕｍｂｅｒ  Ｌｅｎｇｔｈ）サブフィールド及び緊急呼び出し番号（Ｅｍｅｒｇｅｎｃｙ  ｃａｌｌ  ｎｕｍｂｅｒ）サブフィールドを含む。緊急呼び出し番号の長さサブフィールドは、緊急呼び出し番号サブフィールドの長さを指示する値に設定される。また、緊急呼び出し番号サブフィールドは、該当ネットワークで支援される緊急呼び出しディジット（ｅｍｅｒｇｅｎｃｙ  ｃａｌｌ  ｄｉｇｉｔｓ）を指示する値に設定される。
【００５９】
図８は、本実施例の他の側面にともなうＧＡＳ初期応答フレームのフォーマットを示すブロック図である。
【００６０】
図８に示されているように、ＧＡＳ初期応答フレームは、このメッセージが汎用通知サービス応答メッセージであることを表す要素識別子（Ｅｌｅｍｅｎｔ  ＩＤ）フィールド（１００）、その後のフィールド項目の長さを表す長さ（Ｌｅｎｇｔｈ）フィールド（１１０）、また、通知プロトコル情報要素（Ａｄｖｅｒｔｉｓｅｍｅｎｔ  ｐｒｏｔｏｃｏｌ  ｉｎｆｏｒｍａｔｉｏｎ  ｅｌｅｍｅｎｔ）を含むフィールド（１２０）及び応答情報（ｒｅｓｐｏｎｓｅ  ｉｎｆｏｒｍａｔｉｏｎ）フィールド（１３０）を含む。
【００６１】
応答情報フィールド（１３０）は、応答情報フィールドを表す要素識別子（Ｅｌｅｍｅｎｔ  ＩＤ）フィールド（１３１）、その後のフィールド項目の長さを表す長さフィールド（１３２）、また、ネイティブ情報要素（Ｎａｔｉｖｅ  ｉｎｆｏｒｍａｔｉｏｎ  ｅｌｅｍｅｎｔ）フィールド（１３３）を含む。このネイティブ情報要素フィールド（１３３）は、複数個になってもよい。また、この場合、各々のネイティブ情報要素フィールド（１３３）には同種の複数情報要素が項目別に含まれてもよい。
【００６２】
一方、ネイティブ情報要素フィールドのうちいずれか一つ、または一つのネイティブ情報要素フィールドがある場合、該当ネイティブ情報要素フィールドには前述したように緊急呼び出し情報（Ｅｍｅｒｇｅｎｃｙ  ｃａｌｌ  ｉｎｆｏｒｍａｔｉｏｎ）を表す緊急呼び出し番号リスト要素（ｅｍｅｒｇｅｎｃｙ  ｃａｌｌ  ｎｕｍｂｅｒ  ｌｉｓｔ  ｅｌｅｍｅｎｔ）が含まれる。緊急呼び出し番号は、例えば、電話番号またはＵＲＩであってもよい。
【００６３】
この緊急呼び出し番号リスト要素は、緊急呼び出し番号リスト要素を表す情報識別子（ｉｎｆｏ  ＩＤ）フィールド（１３３ａ）、その後のサブフィールドの長さを表す長さ（Ｌｅｎｇｔｈ）フィールド（１３３ｂ）、緊急呼び出し番号リストを端末に知らせる状態を表す状態コード（Ｓｔａｔｕｓ  ｃｏｄｅ）フィールド（１３３ｃ）を含む。また、該当する最初の緊急番号の長さ（ｌｅｎｇｔｈ  ｏｆ  ｅｍｅｒｇｅｎｃｙ  ｎｕｍｂｅｒ  ＃１）を表すフィールド（１３３ｄ）と緊急呼び出し番号（ｅｍｅｒｇｅｎｃｙ  ｃａｌｌ  ｎｕｍｂｅｒ  ＃１）を表すフィールド（１３３ｅ）が続く。
【００６４】
また、緊急番号の長さを表すフィールド（１３３ｄ）と緊急呼び出し番号を表すフィールド（１３３ｅ）は一対になり、緊急呼び出し番号が一個である場合、緊急呼び出し番号の長さを表すフィールドと緊急呼び出し番号を表すフィールドも各々一つずつ含まれるが、複数個の緊急呼び出し番号をＡＰがｎｏｎ−ＡＰ  ＳＴＡに伝送する場合には複数個の緊急番号の長さ（ｌｅｎｇｔｈ  ｏｆ  ｅｍｅｒｇｅｎｃｙ  ｃａｌｌ  ｎｕｍｂｅｒ  ＃２〜＃ｎ）を表すフィールド（１３３ｆ、１３３ｈ）と緊急呼び出し番号（ｅｍｅｒｇｅｎｃｙ  ｃａｌｌ  ｎｕｍｂｅｒ＃２〜＃ｎ）を表すフィールド（１３３ｇ、１３３ｉ）が含まれる。
【００６５】
以上、詳細に説明した本発明の実施例は、単に本発明の技術思想を示すための例示に過ぎず、前記実施例によって本発明の技術思想が限定されると解釈されてはならない。本発明の保護範囲は、本発明の特許請求の範囲によって特定される。
【００６６】
本発明が特徴的に記述されて、例示的な実施例によって記述されているが、当業者であれば、特許請求の範囲に定義された本発明の思想及び範囲を外れない限り形態や細部を多様に変更することができる。
【００６７】
本発明は、無線通信技術と関連されているネットワーキングや通信プロトコルと無線通信システムにおける通信手順と関連があり、また、無線通信システムの構築と無線通信システムを構成する設備や装置（無線局と基地局との両方とも含む）の製造などに適用されることができる。特に、本発明は、無線通信システムにおける外部ネットワークとのインターワーキングと関連がある。
【符号の説明】
【００６８】
１００、１３１  要素識別子（Ｅｌｅｍｅｎｔ  ＩＤ）フィールド
１１０、１３２、１３３ｂ  長さ（Ｌｅｎｇｔｈ）フィールド
１２０  通知プロトコル情報要素（Ａｄｖｅｒｔｉｓｅｍｅｎｔ  ｐｒｏｔｏｃｏｌ  ｉｎｆｏｒｍａｔｉｏｎ  ｅｌｅｍｅｎｔ）フィールド
１３０  応答情報（ｒｅｓｐｏｎｓｅ  ｉｎｆｏｒｍａｔｉｏｎ）フィールド
１３３  ネイティブ情報要素（Ｎａｔｉｖｅ  ｉｎｆｏｒｍａｔｉｏｎ  ｅｌｅｍｅｎｔ）フィールド
１３３ａ  情報識別子（ｉｎｆｏ  ＩＤ）フィールド
１３３ｃ  状態コード（Ｓｔａｔｕｓ  ｃｏｄｅ）フィールド
１３３ｄ  最初の緊急番号の長さ（ｌｅｎｇｔｈ  ｏｆ  ｅｍｅｒｇｅｎｃｙ  ｎｕｍｂｅｒ  ＃１）フィールド
１３３ｅ  緊急呼び出し番号（ｅｍｅｒｇｅｎｃｙ  ｃａｌｌ  ｎｕｍｂｅｒ  ＃１）フィールド
【図１】
2010532619.tif 000004
【図２】
2010532619.tif 000005
【図３】
2010532619.tif 000006
【図４】
2010532619.tif 000007
【図５】
2010532619.tif 000008
【図６】
2010532619.tif 000009
【図７】
2010532619.tif 000010
【図８】
2010532619.tif 000011
【国際調査報告】
2010532619.tif 000012
2010532619.tif 000013